(57)【要約】【課題】ガイドレールの形状に合せて、紙幣保留部から回収した紙幣を紙幣収納部の位置まで円滑な移動により搬送することができる紙幣搬送装置、紙幣回収システムを提供する。【解決手段】紙幣搬送装置６０を構成するベース部７０は、複数に分割されたブロック部材７１により構成されるとともに、各ブロック部材７１の一端には、連結凸部７３が形成され、この連結凸部７３と、他方のブロック部材７１の他端とが枢軸７５により連結され、複数のブロック部材７１同士は、それぞれの枢軸７５を支点として互いに揺動自在としている。【選択図】      図２
2004352394.tif 000002
【特許請求の範囲】
【請求項１】
遊技媒体貸出処理機に投入された複数枚の紙幣を受け入れるとともに、ガイドレール上を走行することにより所定位置まで紙幣を搬送する紙幣搬送装置であって、
前記紙幣搬送装置は、紙幣を挟持する紙幣挟持手段を一体的に支持するベース部により構成されるとともに、
前記ベース部は、前記ガイドレールを構成する曲面部に沿って揺動自在な複数の揺動部材により構成されていることを特徴とする紙幣搬送装置。
【請求項２】
遊技媒体貸出処理機に投入された複数枚の紙幣を受け入れるとともに、ガイドレール上を走行することにより紙幣回収部まで紙幣を搬送する紙幣搬送装置であって、
前記紙幣搬送装置は、紙幣を挟持する紙幣挟持手段を一体的に支持するベース部により構成され、
前記ベース部は、前記ガイドレールを構成する曲面部に沿って揺動自在な複数のブロック部材により構成されるとともに、当該ブロック部材同士を連結する枢軸を中心として、前記曲面部に沿って揺動することを特徴とする紙幣搬送装置。
【請求項３】
前記複数のブロック部材には、前記ガイドレールに沿って摺動可能なガイドローラが設けられていることを特徴とする請求項２に記載の紙幣搬送装置。
【請求項４】
前記複数のブロック部材のうち、少なくとも１つのブロック部材に、紙幣を挟持する紙幣挟持手段を設けることを特徴とする請求項２または３に記載の紙幣搬送装置。
【請求項５】
遊技媒体貸出処理機に投入された複数枚の紙幣を受け入れるとともに、ガイドレール上を走行することにより所定位置まで紙幣を搬送する紙幣搬送装置であって、
前記紙幣搬送装置は、紙幣を挟持する紙幣挟持手段を支持するベース部により構成されるとともに、
前記ベース部は、前記ガイドレールの曲面部に沿って変形自在な弾性部材により構成されていることを特徴とする紙幣搬送装置。
【請求項６】
遊技媒体貸出処理機に投入された複数枚の紙幣を受け入れるとともに、ガイドレール上を走行することにより所定位置まで紙幣を搬送する紙幣搬送装置であって、
前記紙幣搬送装置は、紙幣を挟持する紙幣挟持手段を支持するベース部により構成されるとともに、
前記ベース部には、前記ガイドレールに沿って摺動可能なガイドローラが、前記ガイドローラの曲面部に沿って回動自在な回動支持部材を介して取り付けられることを特徴とする紙幣搬送装置。
【請求項７】
遊技島内に複数並設された遊技機と、紙幣を受け入れて遊技媒体を貸し出す処理をおこなう遊技媒体貸出処理機と、当該遊技媒体貸出処理機が受け入れた紙幣を複数枚保留する紙幣保留手段と、当該紙幣保留手段に保留された紙幣をガイドレール上を走行することにより紙幣回収部の位置まで搬送する紙幣搬送装置とを備えた紙幣回収システムであって、
前記紙幣搬送装置は、紙幣を挟持する紙幣挟持手段を一体的に支持するベース部により構成され、
前記ベース部は、前記ガイドレールを構成する曲面部に沿って揺動自在な複数のブロック部材により構成されるとともに、当該ブロック部材同士を連結する枢軸を中心として、前記曲面部に沿って揺動することを特徴とする紙幣回収システム。
【請求項８】
遊技島内に複数並設された遊技機と、紙幣を受け入れて遊技媒体を貸し出す処理をおこなう遊技媒体貸出処理機と、当該遊技媒体貸出処理機が受け入れた紙幣を複数枚保留する紙幣保留手段と、当該紙幣保留手段に保留された紙幣をガイドレール上を走行することにより紙幣回収部の位置まで搬送する紙幣搬送装置とを備えた紙幣回収システムであって、
前記紙幣搬送装置は、紙幣を挟持する紙幣挟持手段を一体的に支持するベース部により構成されるとともに、
前記ベース部は、上記ガイドレールの曲面部に沿って変形自在な弾性部材により構成されていることを特徴とする紙幣回収システム。
【請求項９】
遊技島内に複数並設された遊技機と、紙幣を受け入れて遊技媒体を貸し出す処理をおこなう遊技媒体貸出処理機と、当該遊技媒体貸出処理機が受け入れた紙幣を複数枚保留する紙幣保留手段と、当該紙幣保留手段に保留された紙幣をガイドレール上を走行することにより紙幣回収部の位置まで搬送する紙幣搬送装置とを備えた紙幣回収システムであって、
前記紙幣搬送装置は、紙幣を挟持する紙幣挟持手段を一体的に支持するベース部により構成されるとともに、
前記ベース部には、前記ガイドレールに沿って摺動可能なガイドローラが、前記ガイドローラの曲面部に沿って回動自在な回動支持部材を介して取り付けられることを特徴とする紙幣回収システム。
【発明の詳細な説明】
【０００１】
【発明の属する技術分野】
本発明は、遊技島内に複数並設された遊技機と、各遊技機間に設けられた貸出処理機と、貸出処理機が受け入れた紙幣を保留する紙幣保留部とを備え、この紙幣保留部内の紙幣を紙幣収納部に回収する紙幣搬送装置、紙幣回収システムに関し、特に、紙幣収納部までの移動経路であるガイドレールの形状に合わせて、紙幣保留部から回収した紙幣を紙幣収納部の位置まで円滑な移動により搬送できる紙幣搬送装置、紙幣回収システムに関する。尚、ここでいう貸出処理機には、紙幣などを受け入れて遊技媒体を払い出す所謂貸出機だけでなく、接続される遊技機に内蔵される遊技媒体払出機構に対して払い出すように指令を与える装置も含まれるものとする。
【０００２】
【従来の技術】
従来より、パチンコホールなどの遊技店では、各パチンコ機や各スロットマシン（遊技機）の台間にそれぞれ遊技媒体貸出処理機を設けており、この遊技媒体貸出処理機によりパチンコ玉やメダル（遊技媒体）を貸し出すようにしている。遊技客は、遊技媒体貸出処理機（以下、単に『貸出処理機』とする。）に紙幣を投入（或いは、プリペイドカードなどの利用）することにより所定数のパチンコ玉（メダル）を購入することができ、この購入したパチンコ玉（メダル）により遊技をおこなうことができる。
【０００３】
このため、従来では、貸出処理機内に投入された複数枚の紙幣を、紙幣搬送装置における搬送（移動）によって紙幣収納部に回収する紙幣回収システムが構築されている。このような紙幣回収システムとしては、複数のパチンコ機が配設された遊技島の端部に紙幣収納部を据置し、各貸出処理機内に保留された複数枚の紙幣をパチンコ機の背面を通過させて紙幣収納部まで搬送する技術が知られている。例えば、特許文献１には貸出処理機に投入された紙幣を一旦紙幣保留部に保留しておき、この紙幣保留部に保留された紙幣をガイドレール上を走行（移動）する紙幣搬送装置によって紙幣収納部まで搬送する紙幣搬送装置が開示されている。
【０００４】
ここで、上述した従来における紙幣回収システムの概略および紙幣搬送装置の構成について、図６、７を参照して簡単に説明する。すなわち、図６に示すように、紙幣回収システム１は、遊技島内において、複数のパチンコ機１１、貸出処理機１０とが並設されるとともに、受け入れた複数枚の紙幣を一時的に保留する紙幣保留部２０と、この紙幣保留部２０に保留された紙幣を受け取り、受け取った紙幣を紙幣収納部３０の位置まで搬送する紙幣搬送装置４０とにより構成されている。
【０００５】
また、紙幣保留部２０から紙幣収納部３０までの移動経路は直線状のガイドレール１５により構成されており、紙幣搬送装置４０は、ガイドレール１５上を往復移動することにより貸出処理機１０から紙幣を回収することができる。
【０００６】
また、図７に示すように、紙幣搬送装置４０は、紙幣挟持部４１および紙幣保持部４２と、これら紙幣挟持部４１および紙幣保持部４２とを一体的に支持するベース部５０とにより構成されている。ベース部５０は、平板状の金属板などにより成形されている。
【０００７】
紙幣挟持部４１は、一対の紙幣挟持アーム４４および一対のリンクアーム４３とにより構成されており、一対の紙幣挟持アーム４４の基端部に固設されている枢軸４５には、紙幣挟持アーム４４の先端部を閉鎖方向に圧接する付勢ばね４６が設けられている。通常、紙幣挟持アーム４４の先端部は付勢ばね４６の付勢力により内側に押圧（閉鎖）されるため、紙幣の一端側を挟持することができる。
【０００８】
紙幣保持部４２は、コ字形に形成された紙幣保持板４２ａを有しており、この紙幣保持板４２ａ上に紙幣の他端側が保持される。また、ベース部５０の側面部にはガイドレール１５上を走行するための車輪５１および移動をガイドするためのガイドローラ５２が設けられている。
【０００９】
図８（ａ）、（ｂ）は、紙幣保留部２０から紙幣搬送装置４０への紙幣の受け渡し状態を示す説明図である。すなわち、図８（ａ）に示すように、紙幣保留部２０には、昇降自在に構成された収納枠４７が設けられており、この収容枠４７が紙幣挟持部４１に向けて下降すると、図８（ｂ）に示すように、収容枠４７の下端部によりリンクアーム４３が回動軸４５を中心として外側に回動し、このリンクアーム４３の回動に伴って、紙幣挟持アーム４４の先端部も付勢ばね４６の付勢力に抗して、外側に開放する。
【００１０】
これにより、紙幣保留部２０から受け渡される紙幣を紙幣搬送装置４０内に受け入れるとともに、紙幣を紙幣挟持アーム４４により挟持することができる。このようにして、紙幣搬送装置４０に回収された紙幣は、コンベアベルト（図示せず）の駆動によって紙幣収納部３０まで搬送され、収納されることとなる。
【００１１】
【特許文献１】
特開２００２−２０３２６６号公報
【００１２】
【発明が解決しようとする課題】
しかしながら、上述した紙幣搬送装置の場合、以下に示すような問題がある。すなわち、近年のパチンコホールでは、店内のデザインなどから、単純なレイアウトではなく、曲線状などの遊技島を導入する場合がある。また、店内の改装（レイアウト変更）や店内に設けられた建造物（柱）の配置などによっては、直線状に形成したガイドレールの一部を曲線状（曲面部）に変更せざるをえない場合がある。
【００１３】
このため、従来のように紙幣搬送装置４０を構成するベース部５０の形状が平板状である場合には、店内のレイアウト変更やガイドレールの形状変更などにより、例えば、ガイドレールの形状が曲線状となった場合には、紙幣搬送装置４０の走行に支障を来たすことがあるという問題がある。
【００１４】
図９（ａ）、（ｂ）は、ガイドレール１５ａの直線部および曲面部を走行する紙幣搬送装置４０の状態（ベース部５０の走行状態）をそれぞれ示している。すなわち、図９（ａ）に示すように、ガイドレール１５ａが直線部を走行する紙幣搬送装置４０の移動は支障なくおこなわれるが、図９（ｂ）に示すように、ガイドレール１５ａの一部が曲線状（曲面部１８）となっている場合、紙幣搬送装置４０の端部が曲面部１８の内側面１６と干渉してしまうことから、この内側面１６との接触により円滑な走行ができなくなるうえ、紙幣搬送装置４０の移動が停滞したり停止してしまうという問題がある。また、このように紙幣搬送装置４０の移動に障害が発生した場合、紙幣の回収が滞るなどの問題が生じる恐れがある。
【００１５】
本発明は、上記従来技術による課題を解決するためになされたものであり、紙幣を回収する紙幣保留部から紙幣収納部までの移動経路（ガイドレール）の形状（曲面部）に合わせて円滑な搬送（走行）をおこなうことができる紙幣搬送装置、紙幣回収システムを提供することを目的とする。
【００１６】
【課題を解決するための手段】
本発明は上記目的を達成するためになされたものであり、請求項１に記載の発明は、遊技媒体貸出処理機に投入された複数枚の紙幣を受け入れるとともに、ガイドレール上を走行することにより所定位置まで紙幣を搬送する紙幣搬送装置であって、前記紙幣搬送装置は、紙幣を挟持する紙幣挟持手段を一体的に支持するベース部により構成されるとともに、前記ベース部は、前記ガイドレールを構成する曲面部に沿って揺動自在な複数の揺動部材により構成されていることを特徴とする。
【００１７】
また、請求項２に記載の発明は、遊技媒体貸出処理機に投入された複数枚の紙幣を受け入れるとともに、ガイドレール上を走行することにより紙幣回収部まで紙幣を搬送する紙幣搬送装置であって、前記紙幣搬送装置は、紙幣を挟持する紙幣挟持手段を一体的に支持するベース部により構成され、前記ベース部は、前記ガイドレールを構成する曲面部に沿って揺動自在な複数のブロック部材により構成されるとともに、当該ブロック部材同士を連結する枢軸を中心として、前記曲面部に沿って揺動することを特徴とする。
【００１８】
また、請求項３に記載の発明は、請求項２に記載の発明において、前記複数のブロック部材には、前記ガイドレールに沿って摺動可能なガイドローラが設けられていることを特徴とする。
【００１９】
また、請求項４に記載の発明は、請求項２または３に記載の発明において、前記複数のブロック部材のうち、少なくとも１つのブロック部材に、紙幣を挟持する紙幣挟持手段を設けることを特徴とする。
【００２０】
また、請求項５に記載の発明は、遊技媒体貸出処理機に投入された複数枚の紙幣を受け入れるとともに、ガイドレール上を走行することにより所定位置まで紙幣を搬送する紙幣搬送装置であって、前記紙幣搬送装置は、紙幣を挟持する紙幣挟持手段を支持するベース部により構成されるとともに、前記ベース部は、前記ガイドレールの曲面部に沿って変形自在な弾性部材により構成されていることを特徴とする。
【００２１】
また、請求項６に記載の発明は、遊技媒体貸出処理機に投入された複数枚の紙幣を受け入れるとともに、ガイドレール上を走行することにより所定位置まで紙幣を搬送する紙幣搬送装置であって、前記紙幣搬送装置は、紙幣を挟持する紙幣挟持手段を支持するベース部により構成されるとともに、前記ベース部には、前記ガイドレールに沿って摺動可能なガイドローラが、前記ガイドローラの曲面部に沿って回動自在な回動支持部材を介して取り付けられることを特徴とする。
【００２２】
また、請求項７に記載の発明は、遊技島内に複数並設された遊技機と、紙幣を受け入れて遊技媒体を貸し出す処理をおこなう遊技媒体貸出処理機と、当該遊技媒体貸出処理機が受け入れた紙幣を複数枚保留する紙幣保留手段と、当該紙幣保留手段に保留された紙幣をガイドレール上を走行することにより紙幣回収部の位置まで搬送する紙幣搬送装置とを備えた紙幣回収システムであって、前記紙幣搬送装置は、紙幣を挟持する紙幣挟持手段を一体的に支持するベース部により構成され、前記ベース部は、前記ガイドレールを構成する曲面部に沿って揺動自在な複数のブロック部材により構成されるとともに、当該ブロック部材同士を連結する枢軸を中心として、前記曲面部に沿って揺動することを特徴とする。
【００２３】
また、請求項８に記載の発明は、遊技島内に複数並設された遊技機と、紙幣を受け入れて遊技媒体を貸し出す処理をおこなう遊技媒体貸出処理機と、当該遊技媒体貸出処理機が受け入れた紙幣を複数枚保留する紙幣保留手段と、当該紙幣保留手段に保留された紙幣をガイドレール上を走行することにより紙幣回収部の位置まで搬送する紙幣搬送装置とを備えた紙幣回収システムであって、前記紙幣搬送装置は、紙幣を挟持する紙幣挟持手段を一体的に支持するベース部により構成されるとともに、前記ベース部は、上記ガイドレールの曲面部に沿って変形自在な弾性部材により構成されていることを特徴とする。
【００２４】
また、請求項９に記載の発明は、遊技島内に複数並設された遊技機と、紙幣を受け入れて遊技媒体を貸し出す処理をおこなう遊技媒体貸出処理機と、当該遊技媒体貸出処理機が受け入れた紙幣を複数枚保留する紙幣保留手段と、当該紙幣保留手段に保留された紙幣をガイドレール上を走行することにより紙幣回収部の位置まで搬送する紙幣搬送装置とを備えた紙幣回収システムであって、前記紙幣搬送装置は、紙幣を挟持する紙幣挟持手段を一体的に支持するベース部により構成されるとともに、前記ベース部には、前記ガイドレールに沿って摺動可能なガイドローラが、前記ガイドローラの曲面部に沿って回動自在な回動支持部材を介して取り付けられることを特徴とする。
【００２５】
【発明の実施の形態】
以下に添付図面を参照して、この発明に係る紙幣搬送装置、紙幣回収システムの好適な実施の形態を詳細に説明する。なお、以下では、本実施の形態１である紙幣回収システムの概要を説明した後に、紙幣搬送装置およびこの紙幣搬送装置を構成するベース部の詳細を説明し、最後に他の実施の形態として種々の変形例を説明することとする。また、本実施の形態１では、主として本発明をパチンコ遊技に適用した場合を示すものとする。
【００２６】
（実施の形態１）
図１は、本実施の形態１に係る紙幣回収システムの全体構成を示す図である。ここで、図１で示す紙幣回収システムでは、ガイドレールの一部が曲線状（曲面部１８）となっているガイドレール１５ａが遊技島内に配設されている例に基づいて説明する。
【００２７】
すなわち、図１に示すように、紙幣回収システム１ａは、遊技島内において、貸出処理機１０が受け入れた複数枚の紙幣を一時的に保留する紙幣保留部２０と、この紙幣保留部２０に保留された紙幣を受け取るとともに、この受け取った紙幣を紙幣収納部３０の位置まで搬送する紙幣搬送装置６０とにより構成されている。
【００２８】
貸出処理機１０は、パチンコ玉の貸し出し機能を主機能とするもので、遊技店に設置された複数のパチンコ機１１それぞれに対して１台ずつペアとなるように用意され、パチンコ機１１の相互間に挟まれるように設置されている。紙幣保留部２０は、貸出処理機１０の後部側に設けられており、この貸出処理機１０が受け入れた複数枚の紙幣を一時的に保留する機能を備えている。
【００２９】
また、この紙幣保留部２０から紙幣収納部３０までの移動経路はガイドレール１５ａにより構成されており、紙幣搬送装置６０は、ガイドレール１５ａ上をベルトコンベア（図示せず）による駆動で往復移動することにより紙幣保留部２０から紙幣を回収することができる。
【００３０】
紙幣収納部３０は、遊技島の端部（図１の右側）に据置され、紙幣搬送装置６０により搬送された紙幣を受け渡し部３１を介して内部に収納することができる。
【００３１】
上述のように構成される紙幣回収システム１ａにおいて、紙幣保留部２０内に保留された紙幣の枚数が所定の枚数に到達すると、紙幣搬送装置６０は、該当する紙幣保留部２０の位置まで移動し、この紙幣保留部２０内に保留された複数枚の紙幣を受け取り、この紙幣搬送装置６０により回収された紙幣は、紙幣挟持部４１と紙幣保持部４２（図７）とにより固定された状態で紙幣収納部３０にまで搬送される。
【００３２】
そして、この紙幣収納部３０により金種別に分類されて収納される。なお、この紙幣収納部３０には、紙幣を金種別に分類することなく一括して収納することもできる。
【００３３】
ここで、本実施の形態１では、紙幣搬送装置６０を構成するベース部７０の形状を複数のブロック部材７１からなる分割型とすることにより、ガイドレールの形状が直線状ではなく曲線状（一部が曲面部）であっても、ガイドレール上を走行する紙幣搬送装置６０による移動（搬送）が円滑となるようにしたことに特徴がある。
【００３４】
以下、図２および図３（ａ）、（ｂ）を参照して、ベース部７０の構成について、詳細に説明する。図２は、ベース部７０の全体構成である平面図を示している。また、図３（ａ）、（ｂ）は、ガイドレール１５ａ上（直線部、曲面部１８）を移動する際のベース部７０の形状を示す説明図である。
【００３５】
なお、上述したように、本発明は、紙幣搬送装置６０を構成するベース部７０の形状に特徴があり、その他、紙幣挟持部４１および紙幣保持部４２（図７）の構成は、従来技術と同様であるため図面では、ベース部７０の構成のみを示すこととし、従来技術と同様の部分については省略する。
【００３６】
すなわち、図２に示すように、紙幣搬送装置６０を構成するベース部７０は、複数（図１では、４個）に分割されたブロック部材７１により構成されており、これら各ブロック部材７１の一端（右側）には、連結凸部７３が形成され、この連結凸部７３と、他方のブロック部材７１の他端（左側）とが枢軸７５により連結されている。これにより、複数のブロック部材７１は、それぞれの枢軸７５を支点として互いに揺動自在な構成となっている。
【００３７】
また、ベース部７０の側面部には、ガイドレール１５ａ上を走行するための車輪５１が設けられている。また、この車輪５１の両端には複数（図１では、４個）のガイドローラ５２が設けられており、これらガイドローラ５２は、ガイドレール１５ａを紙幣搬送装置６０の移動にともなって、ガイドレール１５ａの内側面部１６に沿って摺接可能な構成となっている。
【００３８】
次いで、図３（ａ）、（ｂ）を参照して、紙幣搬送装置６０による走行動作を説明する。すなわち、図３（ａ）に示すように、紙幣搬送装置６０がガイドレール１５ａの直線部を走行する際には、車輪５１による移動およびガイドローラ５２による内側面部１６との摺接により円滑な走行を保持することができる。また、図３（ｂ）に示すように、ガイドレール１５ａの曲面部１８を走行する際には、ベース部７０を構成するブロック部材７１同士の揺動およびガイドローラ５２による摺接にともない、紙幣搬送装置６０は曲面部１８に沿って湾曲した状態で、この曲面部１８を通過することができる。このため、ガイドレール１５ａの内側面部１６とベース部材７０とが干渉することがなく、紙幣搬送装置６０の円滑な移動を可能とすることができる。
【００３９】
（実施の形態２）
次に、図４を参照して本実施の形態２に係る紙幣搬送装置８０について説明する。図４は、本実施の形態２に係る紙幣搬送装置８０の概略を示す構成図である。すなわち、本実施の形態２の特徴は、ベース部８１の材質を、ガイドレール１５ａの曲面部１８に沿って変形自在な弾性部材により構成することにある。この弾性部材の材料としては、ゴム部材、バネ部材などを使用することができる。
【００４０】
また、紙幣搬送装置８０を構成する紙幣挟持部４１および紙幣保持部４２は、硬質材料からなる支持部材８２に取り付けられており、これら各支持部材８２がベース部８１にそれぞれ固設されている。また、実施の形態１と同様に、支持部材８２には、ガイドレール１５ａを走行するための車輪５１およびガイド用のガイドローラ５２とが取り付けられている。
【００４１】
本実施の形態２における紙幣搬送装置８０の場合、この紙幣搬送装置８０がガイドレール１５ａの曲面部１８を走行する際には、ベース部８１が曲面部１８の内側面部１６に合わせて弾性変形することができるため、この弾性変形によりガイドレール１５ａの内側面部１６とベース部８１とが干渉することなく、紙幣の搬送を円滑におこなうことができる
【００４２】
（実施の形態３）
次に、図５を参照して本実施の形態３に係る紙幣搬送装置９０について説明する。図５は、本実施の形態３に係る紙幣搬送装置９０の概略を示す構成図である。すなわち、本実施の形態３は、ベース部９１の下部に回動部材９２を介して複数の支持部材９３を備えており、この支持部材９３に車輪５１を配設したことに特徴がある。本実施の形態３における紙幣搬送装置９０の場合、この紙幣搬送装置９０がガイドレール１５ａの曲面部１８を走行する際には、曲面部１８に合わせて回動部材９２の回動がおこなわれる。
【００４３】
本実施の形態３における紙幣搬送装置９０の場合、この紙幣搬送装置９０がガイドレール１５ａの曲面部１８を走行する際には、支持部材９３に備えた回動部材９２が曲面部１８の内側面部１６に合わせて回動するため、支持部材９３に固定された車輪５１の向きが曲面部１８に沿って揺動するため、ガイドレール１５ａの内側面部１６とベース部８１とが干渉することなく、紙幣の搬送を円滑におこなうことができる。
【００４４】
ここで、本発明における紙幣搬送装置は、特に曲線状のガイドレールに対して揺動により好適な作用効果を発揮するものであるが、一般的（直線状）なガイドレール上を移動する場合にも、複数に分割されたブロック部材の揺動による作用により、移動時の負荷などを軽減することができる、これによりガイドローラや車輪を軸支している軸受けなどの磨耗（経時劣化）を防止することが可能となる。
【００４５】
【発明の効果】
以上説明したように、請求項１に記載の発明によれば、紙幣搬送装置は、遊技媒体貸出処理機に投入された複数枚の紙幣を受け入れるとともに、ガイドレール上を走行することにより所定位置まで紙幣を搬送する紙幣搬送装置であって、前記紙幣搬送装置は、紙幣を挟持する紙幣挟持手段を一体的に支持するベース部により構成されるともに、前記ベース部は、前記ガイドレールを構成する曲面部に沿って揺動自在な複数の揺動部材により構成されているので、紙幣搬送装置がガイドレールの曲面部を走行（移動）する際には、ベース部を構成する揺動部材が互いに揺動することから、ガイドレールの内側面部とベース部とが干渉することなく、紙幣の搬送を円滑におこなうことができるという効果を奏する。
【００４６】
また、請求項２に記載の発明によれば、遊技媒体貸出処理機に投入された複数枚の紙幣を受け入れるとともに、ガイドレール上を走行することにより紙幣回収部まで紙幣を搬送する紙幣搬送装置であって、前記紙幣搬送装置は、紙幣を挟持する紙幣挟持手段を一体的に支持するベース部により構成され、前記ベース部は、前記ガイドレールを構成する曲面部に沿って揺動自在な複数のブロック部材により構成されるとともに、当該ブロック部材同士を連結する枢軸を中心として、前記曲面部に沿って揺動するので、紙幣搬送装置がガイドレールの曲面部を走行（移動）する際には、ベース部を構成するブロック部材が枢軸を中心として互いに揺動することから、ガイドレールの内側面部とベース部とが干渉することなく、紙幣の搬送を円滑におこなうことができるという効果を奏する。
【００４７】
また、請求項３に記載の発明によれば、請求項２に記載の発明において、前記複数のブロック部材には、前記ガイドレールに沿って摺動可能なガイドローラが設けられているので、ガイドローラによる摺動により紙幣搬送時の移動を円滑におこなうことができるという効果を奏する。
【００４８】
また、請求項４に記載の発明によれば、請求項２または３に記載の発明において、前記複数のブロック部材のうち、少なくとも１つのブロック部材に、紙幣を挟持する紙幣挟持手段を設けるので、この紙幣挟持手段により紙幣に対する把持を確実におこなうことができるという効果を奏する。
【００４９】
また、請求項５に記載の発明によれば、遊技媒体貸出処理機に投入された複数枚の紙幣を受け入れるとともに、ガイドレール上を走行することにより所定位置まで紙幣を搬送する紙幣搬送装置であって、前記紙幣搬送装置は、紙幣を挟持する紙幣挟持手段を支持するベース部により構成されるとともに、前記ベース部は、前記ガイドレールの曲面部に沿って変形自在な弾性部材により構成されているので、紙幣搬送装置がガイドレールの曲面部を走行（移動）する際には、このベース部を構成する弾性部材は、曲面部に沿って弾性変形するため、ガイドレールの内側面部とベース部とが干渉することなく、紙幣の搬送を円滑におこなうことができるという効果を奏する。
【００５０】
また、請求項６に記載の発明によれば、遊技媒体貸出処理機に投入された複数枚の紙幣を受け入れるとともに、ガイドレール上を走行することにより所定位置まで紙幣を搬送する紙幣搬送装置であって、前記紙幣搬送装置は、紙幣を挟持する紙幣挟持手段を支持するベース部により構成されるとともに、前記ベース部には、前記ガイドレールに沿って摺動可能なガイドローラが、前記ガイドローラの曲面部に沿って回動自在な回動支持部材を介して取り付けられるので、車輪を軸支する回動支持部材がガイドレールの曲面部に沿った向きに車輪の向きを揺動させることから、ガイドレールの側面部とベース部とが干渉することなく、紙幣搬送装置による搬送および移動を円滑におこなうことができるという効果を奏する。
【００５１】
また、請求項７に記載の発明によれば、遊技島内に複数並設された遊技機と、紙幣の投入により遊技機に所定量の遊技媒体を供給する遊技媒体貸出処理機と、当該遊技媒体貸出処理機が受け入れた紙幣を複数枚保留する紙幣保留手段と、当該紙幣保留手段に保留された紙幣をガイドレール上を走行することにより紙幣回収部の位置まで搬送する紙幣搬送装置とを備えた紙幣回収システムであって、前記紙幣搬送装置は、紙幣を挟持する紙幣挟持手段を一体的に支持するベース部により構成され、前記ベース部は、前記ガイドレールを構成する曲面部に沿って揺動自在な複数のブロック部材により構成されるとともに、当該ブロック部材同士を連結する枢軸を中心として、前記曲面部に沿って揺動するので、紙幣搬送装置がガイドレールの曲面部を走行（移動）する際には、ベース部を構成するブロック部材が枢軸を中心として互いに揺動するため、ガイドレールの側面部とベース部とが干渉することなく、紙幣の搬送を円滑におこなえる紙幣回収システムを実現することができるという効果を奏する。
【００５２】
また、紙幣搬送装置は移動時にガイドレールの曲面部で停滞することなく、円滑な移動により紙幣の回収をおこなうことができるため、紙幣回収サイクルの効率化を図ることができるという効果を奏する。
【００５３】
また、紙幣搬送装置は、ガイドレールの形状が曲線状であっても、この形状（曲面部）に沿ってベース部を構成するブロッ部材が揺動することにより円滑に走行できるため、曲線状にレイアウトされた遊技島においても、紙幣搬送装置を支障なく設置することができることから、新機種の導入にともなう遊技島のレイアウト変更、店内改装や営業形態の多様化に対応することができるうえ、パチンコホールの構成や急な遊技島のレイアウト変更などが生じた場合でも、柔軟に対応できる紙幣回収システムを実現できるという効果を奏する。
【００５４】
また、請求項８に記載の発明によれば、遊技島内に複数並設された遊技機と、紙幣を受け入れて遊技媒体を貸し出す処理をおこなう遊技媒体貸出処理機と、当該遊技媒体貸出処理機が受け入れた紙幣を複数枚保留する紙幣保留手段と、当該紙幣保留手段に保留された紙幣をガイドレール上を走行することにより紙幣回収部の位置まで搬送する紙幣搬送装置とを備えた紙幣回収システムであって、前記紙幣搬送装置は、紙幣を挟持する紙幣挟持手段を一体的に支持するベース部により構成されるとともに、前記ベース部は、上記ガイドレールの曲面部に沿って変形自在な弾性部材により構成されているので、紙幣搬送装置がガイドレールの曲面部を走行（移動）する際には、ベース部を構成する弾性部材は、曲面部に沿って弾性変形するため、ガイドレールの側面部とベース部とが干渉することなく、紙幣の搬送を円滑におこなえる紙幣回収システムを実現することができるという効果を奏する。
【００５５】
また、請求項９に記載の発明によれば、遊技島内に複数並設された遊技機と、紙幣を受け入れて遊技媒体を貸し出す処理をおこなう遊技媒体貸出処理機と、当該遊技媒体貸出処理機が受け入れた紙幣を複数枚保留する紙幣保留手段と、当該紙幣保留手段に保留された紙幣をガイドレール上を走行することにより紙幣回収部の位置まで搬送する紙幣搬送装置とを備えた紙幣回収システムであって、前記紙幣搬送装置は、紙幣を挟持する紙幣挟持手段を一体的に支持するベース部により構成されるとともに、前記ベース部には、前記ガイドレールに沿って摺動可能なガイドローラが、前記ガイドローラの曲面部に沿って回動自在な回動支持部材を介して取り付けられるので、支持軸がガイドレールの曲面部を移動する際には、ガイドレールの曲面部に沿って湾曲した状態で通過することができるため、ガイドレールの側面部とベース部とが干渉することなく、紙幣搬送装置による搬送および移動を円滑におこなえる紙幣回収システムを実現することができるという効果を奏する。
【図面の簡単な説明】
【図１】本実施の形態１に係る紙幣回収システムの概略を示す全体構成図である。
【図２】同紙幣搬送装置を構成するベース部を示す平面図である。
【図３】（ａ）は、ガイドレールの直線部を走行するベース部の形状を、（ｂ）は、ガイドレールの曲面部を走行するベース部の形状をそれぞれ示す説明図である。
【図４】本実施の形態２に係る紙幣搬送装置の概要を示す構成図である。
【図５】本実施の形態３に係る紙幣搬送装置の概要を示す構成図である。
【図６】従来における紙幣回収システムの概略を示す全体構成図である。
【図７】従来における紙幣搬送装置の構成を示す斜視図である。
【図８】（ａ）、（ｂ）は、紙幣保留部の収納枠による紙幣の受け渡し手順をそれぞれ説明する図である。
【図９】（ａ）は、ガイドレールの直線部を走行するベース部の形状を、（ｂ）は、ガイドレールの曲面部を走行するベース部の形状をそれぞれ示す説明図である。
【符号の説明】
１、１ａ  紙幣回収システム
１０  貸出処理機
１１  パチンコ機
１５、１５ａ  ガイドレール
１６  内側面部
１８  曲面部
２０  紙幣保留部
３０  紙幣収納部
３１  受け渡し部
４０、６０、８０、９０  紙幣搬送装置
４１  紙幣挟持部
４２  紙幣保持部
４２ａ  紙幣保持板
４３  リンクアーム
４４  紙幣挟持アーム
４５  回動軸
４７  収納枠
５０、７０、９１  ベース部
５１  車輪
５２  ガイドローラ
７１  ブロック部材
７３  連結凸部
７５  枢軸
８２、９３  支持部材
９２  回動部材
【図１】
2004352394.tif 000003
【図２】
2004352394.tif 000004
【図３】
2004352394.tif 000005
【図４】
2004352394.tif 000006
【図５】
2004352394.tif 000007
【図６】
2004352394.tif 000008
【図７】
2004352394.tif 000009
【図８】
2004352394.tif 000010
【図９】
2004352394.tif 000011